(57)【要約】【課題】仮設足場は、前後の建枠における水平材にフックが取付けられた２枚の布板を、当該フックを係止して取付けたものとなっている。使用の際には２枚の布板を水平材の長手方向に左方あるいは右方に寄せるため、水平材の左方部分あるいは右方部分が露出することになり、歩行時の振動及び強風などにより布板が露出部分に移動するなどの問題があった。【解決手段】２枚の布板を水平材の長手方向に左方あるいは右方に寄せて使用する際に、水平材の左方部分あるいは右方部分に発生する露出部分に嵌着して布板の移動を防止するよう構成されている。【選択図】　　　　図１
2004011290.tif 000002
【特許請求の範囲】
【請求項１】
前後の建枠における水平材に、所定寸法の布板本体の前後端にフックを取付けた２枚の布板を、当該フックを係止して取付け使用する仮設足場において、２枚の布板を水平材の長手方向に左方あるいは右方に寄せて使用する際、水平材の左方部分あるいは右方部分に発生する露出部分に嵌着して布板の移動を防止するよう構成されていることを特徴とする仮設足場における布板のズレ止めスぺーサー。
【請求項２】
ポリエチレンなどの合成樹脂を素材として構成されたスぺーサー本体（１Ａ）と、周縁（１Ｂ）と、足場支柱への嵌合切欠き（１Ｃ）と、前後の係合部（１Ｄ、１Ｅ）から構成され、
スぺーサー本体（１Ａ）は、水平材（３Ａ１）の上半分に上方から嵌着できるよう構成された断面半円状の上部湾曲部（１Ａ１）と、上部湾曲部（１Ａ１）の前後下辺に下方に向け連設された前後の垂下面（１Ａ２、１Ａ３）から構成され、
周縁（１Ｂ）は、スぺーサー本体（１Ａ）の右方端に、上部湾曲部（１Ａ１）と前後の垂下面（１Ａ２、１Ａ３）の外周辺より外方に向け連設された縁状板で構成され、
嵌合切欠き（１Ｃ）は、スぺーサー本体（１Ａ）における上部湾曲部（１Ａ１）の左方部分において、当該上部湾曲部（１Ａ１）を左下方向に斜めに切除して形成した建枠（３Ａ）の足場支柱（３Ａ２）の内側側面（３Ａ２１）を嵌着挟持する平面略半円状の切欠きで構成され、
前の係合部（１Ｄ）は、スぺーサー本体（１Ａ）の前の垂下面（１Ａ２）の下方部分に、建枠（３Ａ）の水平材（３Ａ１）の長手方向と直交する状態で所定間隔をもって突設された三角状板（１Ｄ１、１Ｄ１．．）で構成され、三角状板（１Ｄ１、１Ｄ１．．）は建枠（３Ａ）の水平材（３Ａ１）の下前半分（３Ａ１２）の下面に外方から当接するよう構成され、後の係合部（１Ｅ）は、スぺーサー本体（１Ａ）の後の垂下面（１Ａ３）の下方部分に、建枠（３Ａ）の水平材（３Ａ１）の長手方向と直交する状態で所定間隔をもって突設された三角状板（１Ｅ１、１Ｅ１．．）で構成され、三角状板（１Ｅ１、１Ｅ１．．）は建枠（３Ａ）の水平材（３Ａ１）の下後半分（３Ａ１２）の下面に外方から当接するよう構成されていることを特徴とする仮設足場における布板のズレ止めスぺーサー。
【請求項３】
三角状板（１Ｄ１、１Ｅ１）は、多少の弾性力を有する素材で構成されている請求項２記載の仮設足場における布板のズレ止めスぺーサー。
【請求項４】
前後の建枠における水平材に、所定寸法の布板本体の前後端にフックを取付けた２枚の布板を、当該フックを係止して取付け使用する仮設足場において、２枚の布板を水平材の長手方向に左方あるいは右方に寄せて使用する際、使用する仮設足場の種類による水平材の左方部分あるいは右方部分に発生する露出部分の長短に対応して嵌着し、布板の移動を防止するよう構成されていることを特徴とする仮設足場における布板のズレ止めスぺーサー。
【請求項５】
ポリエチレンなどの合成樹脂を素材として構成されたスぺーサー本体（２Ａ）と、左右の嵌合切欠き（２Ｂ、２Ｃ）と、前後の係合部（２Ｄ、２Ｅ）と、左右の突縁（２Ｆ、２Ｇ）から構成され、
スぺーサー本体（２Ａ）は、水平材（３Ａ１）の上半分に上方から嵌着できるよう構成された断面半円状の上部湾曲部（２Ａ１）と、上部湾曲部（２Ａ１）の前後下辺に下方に向け連設された前後の垂下面（２Ａ２、２Ａ３）から構成され、
左の嵌合切欠き（２Ｂ）は、スぺーサー本体（２Ａ）における上部湾曲部（２Ａ１）の左方部分において、当該上部湾曲部（２Ａ１）を左下方向に斜めに切除して形成した建枠（３Ａ）の足場支柱（３Ａ２）の内側側面（３Ａ２１）を嵌着挟持する平面略半円状の切欠きで構成され、右の嵌合切欠き（２Ｃ）は、スぺーサー本体（２Ａ）における上部湾曲部（２Ａ１）の右方部分において、当該上部湾曲部（２Ａ１）を右下方向に斜めに切除して形成した建枠（３Ａ）の足場支柱（３Ａ２）の全体を嵌着挟持する平面略長穴半円状の切欠きで構成され、
前の係合部（２Ｄ）は、スぺーサー本体（２Ａ）の前の垂下面（２Ａ２）の下方部分に、建枠（３Ａ）の水平材（３Ａ１）の長手方向と直交する状態で所定間隔をもって突設された三角状板（２Ｄ１、２Ｄ１．．）で構成され、三角状板（２Ｄ１、２Ｄ１．．）は建枠（３Ａ）の水平材（３Ａ１）の下前半分（３Ａ１２）に外方から当接するよう構成され、後の係合部（２Ｅ）は、スぺーサー本体（２Ａ）の後の垂下面（２Ａ３）の下方部分に、建枠（３Ａ）の水平材（３Ａ１）の長手方向と直交する状態で所定間隔をもって突設された三角状板（２Ｅ１、２Ｅ１．．）で構成され、三角状板（２Ｅ１、２Ｅ１．．）は建枠（３Ａ）の水平材（３Ａ１）の下後半分（３Ａ１２）に外方から当接するよう構成され、
左の突縁（２Ｆ）は、左の前方突縁（２Ｆ１）と左の後方突縁（２Ｆ２）から構成され、左の前方突縁（２Ｆ１）は、前の垂下面（２Ａ２）の左方辺より外方に向け連設された縁状板で構成され、左の後方突縁（２Ｆ２）は、後の垂下面（２Ａ３）の左方辺より外方に向け連設された縁状板で構成され、右の突縁（２Ｇ）は、右の前方突縁（２Ｇ１）と右の後方突縁（２Ｇ２）から構成され、右の前方突縁（２Ｇ１）は、前の垂下面（２Ａ２）の右方辺より外方に向け連設された縁状板で構成され、右の後方突縁（２Ｇ２）は、後の垂下面（２Ａ３）の右方辺より外方に向け連設された縁状板で構成されていることを特徴とする仮設足場における布板のズレ止めスぺーサー。
【請求項６】
三角状板（２Ｄ１、２Ｅ１）は、多少の弾性力を有する素材で構成されている請求項５記載の仮設足場における布板のズレ止めスぺーサー。
【請求項７】
全体が黄色などの目立つ色彩に着色されている請求項１ないし請求項６のいずれかに記載の仮設足場における布板のズレ止めスぺーサー。
【発明の詳細な説明】
【０００１】
【発明の属する技術分野】
本発明は、土木、建築現場などで使用する仮設足場における新規な構成を有する布板のズレ止めスぺーサーに関するものである。
【０００２】
【従来の技術】
土木、建築工事現場で仮設足場３を使用する場合、前後の建枠３Ａにおける水平材３Ａ１に、所定寸法の布板本体３Ｂ１の前後端にフック３Ｂ２が取付けられた２枚の布板３Ｂを、当該フックを係止して取付け使用している。
この場合、２枚の布板３Ｂの幅Ｗより水平材３Ａ１の長さＷ１が長いので、２枚の布板３Ｂを水平材の長手方向に左方あるいは右方に寄せて使用していた。
図示の場合は、右方（矢印イ）に寄せた場合であるが、このため水平材３Ａ１の左方部分３Ａ１１は露出することになり、歩行時の振動及び強風などにより布板が露出部分に移動し、布板間に隙間が発生する。この隙間を防止するために、従来は鉄線またはゴムバンドで止めていた。
【０００３】
【発明が解決しようとする課題】
従来の技術で述べたものにあっては、下記のような問題点を有していた。
上述のように、左方あるいは右方に寄せるため水平材３Ａ１の左方部分あるいは右方部分は露出し、歩行時の振動、強風などの原因で布板３Ｂ同士がずれる。この結果、布板３Ｂ間に隙間が生じたり、布板３Ｂの縦方向取付状態が不揃いとなる。
また、布板３Ｂ間に隙間が生じるために、足を踏み落とすことがあり危険である。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
すなわち、請求項１記載の発明は、前後の建枠における水平材に、所定寸法の布板本体の前後端にフックを取付けた２枚の布板を、当該フックを係止して取付け使用する仮設足場において、２枚の布板を水平材の長手方向に左方あるいは右方に寄せて使用する際、水平材の左方部分あるいは右方部分に発生する露出部分に嵌着して布板の移動を防止するよう構成されていることを特徴とするものである。
【０００６】
請求項２記載の発明は、ポリエチレンなどの合成樹脂を素材として構成されたスぺーサー本体１Ａと、周縁１Ｂと、足場支柱への嵌合切欠き１Ｃと、前後の係合部１Ｄ、１Ｅから構成され、
Ａ．スぺーサー本体１Ａは、水平材３Ａ１の上半分に上方から嵌着できるよう構成された断面半円状の上部湾曲部１Ａ１と、上部湾曲部１Ａ１の前後下辺に下方に向け連設された前後の垂下面１Ａ２、１Ａ３から構成され、
Ｂ．周縁１Ｂは、スぺーサー本体１Ａの右方端に、上部湾曲部１Ａ１と前後の垂下面１Ａ２、１Ａ３の外周辺より外方に向け連設された縁状板で構成され、
Ｃ．嵌合切欠き１Ｃは、スぺーサー本体１Ａにおける上部湾曲部１Ａ１の左方部分において、当該上部湾曲部１Ａ１を左下方向に斜めに切除して形成した建枠３Ａの足場支柱３Ａ２の内側側面３Ａ２１を嵌着挟持する平面略半円状の切欠きで構成され、
Ｄ．前の係合部１Ｄは、スぺーサー本体１Ａの前の垂下面１Ａ２の下方部分に、建枠３Ａの水平材３Ａ１の長手方向と直交する状態で所定間隔をもって突設された三角状板１Ｄ１、１Ｄ１．．で構成され、三角状板１Ｄ１、１Ｄ１．．は建枠３Ａの水平材３Ａ１の下前半分３Ａ１２の下面に外方から当接するよう構成され、
Ｅ．後の係合部１Ｅは、スぺーサー本体１Ａの後の垂下面１Ａ３の下方部分に、建枠３Ａの水平材３Ａ１の長手方向と直交する状態で所定間隔をもって突設された三角状板１Ｅ１、１Ｅ１．．で構成され、三角状板１Ｅ１、１Ｅ１．．は建枠３Ａの水平材３Ａ１の下後半分３Ａ１２の下面に外方から当接するよう構成されていることを特徴とするものである。
【０００７】
請求項３記載の発明は、請求項２記載の発明において、三角状板１Ｄ１、１Ｅ１は、多少の弾性力を有する素材で構成されていることを特徴とするものである。
【０００８】
請求項４記載の発明は、前後の建枠における水平材に、所定寸法の布板本体の前後端にフックを取付けた２枚の布板を、当該フックを係止して取付け使用する仮設足場において、２枚の布板を水平材の長手方向に左方あるいは右方に寄せて使用する際、使用する仮設足場の種類による水平材の左方部分あるいは右方部分に発生する露出部分の長短に対応して嵌着し、布板の移動を防止するよう構成されていることを特徴とするものである。
【０００９】
請求項５記載の発明は、ポリエチレンなどの合成樹脂を素材として構成されたスぺーサー本体２Ａと、左右の嵌合切欠き２Ｂ、２Ｃと、前後の係合部２Ｄ、２Ｅと、左右の突縁２Ｆ、２Ｇから構成され、
Ａ．スぺーサー本体２Ａは、水平材３Ａ１の上半分に上方から嵌着できるよう構成された断面半円状の上部湾曲部２Ａ１と、上部湾曲部２Ａ１の前後下辺に下方に向け連設された前後の垂下面２Ａ２、２Ａ３から構成され、
Ｂ．左の嵌合切欠き２Ｂは、スぺーサー本体２Ａにおける上部湾曲部２Ａ１の左方部分において、当該上部湾曲部２Ａ１を左下方向に斜めに切除して形成した建枠３Ａの足場支柱３Ａ２の内側側面３Ａ２１を嵌着挟持する平面略半円状の切欠きで構成され、
Ｃ．右の嵌合切欠き２Ｃは、スぺーサー本体２Ａにおける上部湾曲部２Ａ１の右方部分において、当該上部湾曲部２Ａ１を右下方向に斜めに切除して形成した建枠３Ａの足場支柱３Ａ２の全体を嵌着挟持する平面略長穴半円状の切欠きで構成され、
Ｄ．前の係合部２Ｄは、スぺーサー本体２Ａの前の垂下面２Ａ２の下方部分に、建枠３Ａの水平材３Ａ１の長手方向と直交する状態で所定間隔をもって突設された三角状板２Ｄ１、２Ｄ１．．で構成され、三角状板２Ｄ１、２Ｄ１．．は建枠３Ａの水平材３Ａ１の下前半分３Ａ１２に外方から当接するよう構成され、
Ｅ．後の係合部２Ｅは、スぺーサー本体２Ａの後の垂下面２Ａ３の下方部分に、建枠３Ａの水平材３Ａ１の長手方向と直交する状態で所定間隔をもって突設された三角状板２Ｅ１、２Ｅ１．．で構成され、三角状板２Ｅ１、２Ｅ１．．は建枠３Ａの水平材３Ａ１の下後半分３Ａ１２に外方から当接するよう構成され、
Ｆ．左の突縁２Ｆは、左の前方突縁２Ｆ１と左の後方突縁２Ｆ２から構成され、左の前方突縁２Ｆ１は、前の垂下面２Ａ２の左方辺より外方に向け連設された縁状板で構成され、左の後方突縁２Ｆ２は、後の垂下面２Ａ３の左方辺より外方に向け連設された縁状板で構成され、
Ｇ．右の突縁２Ｇは、右の前方突縁２Ｇ１と右の後方突縁２Ｇ２から構成され、右の前方突縁２Ｇ１は、前の垂下面２Ａ２の右方辺より外方に向け連設された縁状板で構成され、右の後方突縁２Ｇ２は、後の垂下面２Ａ３の右方辺より外方に向け連設された縁状板で構成されていることを特徴とするものである。
【００１０】
請求項６記載の発明は、請求項５記載の発明において、三角状板２Ｄ１、２Ｅ１は、多少の弾性力を有する素材で構成されていることを特徴とするものである。
【００１１】
請求項７記載の発明は、請求項１ないし請求項６のいずれかに記載の発明において、全体が黄色などの目立つ色彩に着色されていることを特徴とするものである。
【００１２】
【発明の実施の形態】
以下、本発明の実施の形態を実施例にもとづき図面を参照して説明する。
３は仮設足場でその構成は公知のものであるが、所定間隔をもって配された前後の建枠３Ａと、布板３Ｂから構成されている。
図示のものは後の建枠が省略されている。
ａ．建枠３Ａは、左右方向の水平材３Ａ１の両端に下方に向け連結された左右の足場支柱３Ａ２、３Ａ２から構成されている。
ｂ．布板３Ｂは公知のものであるが、所定寸法の布板本体３Ｂ１の前後端にフック３Ｂ２が取付けられ、前後の建枠３Ａにおける水平材３Ａ１にフックを係止して張設されている。
図示のものは後のフックが省略されている。
３Ａ１１は露出した水平材３Ａ１の左方部分である。
すなわち、上述のように仮設足場を使用する場合、２枚の布板３Ｂを水平材の長手方向に左方あるいは右方に移動させた結果、水平材３Ａ１の左方部分あるいは右方部分は露出することになる。
【００１３】
１は第１発明の仮設足場における布板のズレ止めスぺーサーである。
仮設足場における布板のズレ止めスぺーサー１は、ポリエチレンなどの合成樹脂を素材として構成されたスぺーサー本体１Ａと、周縁１Ｂと、足場支柱への嵌合切欠き１Ｃと、前後の係合部１Ｄ、１Ｅから構成されている。
Ａ．スぺーサー本体１Ａは、水平材３Ａ１の上半分に上方から嵌着できるよう構成された断面半円状の上部湾曲部１Ａ１と、上部湾曲部１Ａ１の前後下辺に下方に向け連設された前後の垂下面１Ａ２、１Ａ３から構成されている。
Ｂ．周縁１Ｂは、スぺーサー本体１Ａの右方端に、上部湾曲部１Ａ１と前後の垂下面１Ａ２、１Ａ３の外周辺より外方に向け連設された縁状板で構成されている。
Ｃ．嵌合切欠き１Ｃは、スぺーサー本体１Ａにおける上部湾曲部１Ａ１の左方部分において、当該上部湾曲部１Ａ１を左下方向に斜めに切除して形成した建枠３Ａの足場支柱３Ａ２の内側側面３Ａ２１を嵌着挟持する平面略半円状の切欠きで構成されている。
【００１４】
Ｄ．前の係合部１Ｄは、スぺーサー本体１Ａの前の垂下面１Ａ２の下方部分に、建枠３Ａの水平材３Ａ１の長手方向と直交する状態で所定間隔をもって突設された三角状板１Ｄ１、１Ｄ１．．で構成され、三角状板１Ｄ１、１Ｄ１．．は建枠３Ａの水平材３Ａ１の下前半分３Ａ１２の下面に外方から当接するよう構成されている。
Ｅ．後の係合部１Ｅは、スぺーサー本体１Ａの後の垂下面１Ａ３の下方部分に、建枠３Ａの水平材３Ａ１の長手方向と直交する状態で所定間隔をもって突設された三角状板１Ｅ１、１Ｅ１．．で構成され、三角状板１Ｅ１、１Ｅ１．．は建枠３Ａの水平材３Ａ１の下後半分３Ａ１２の下面に外方から当接するよう構成されている。
Ｆ．三角状板１Ｄ１、１Ｅ１は、多少の弾性力を有する素材で構成され、これにより当該仮設足場における布板のズレ止めスぺーサーの離脱落下を防止している。
Ｇ．ズレ止めスぺーサー１全体を例えば、黄色などの目立つ色彩に着色することで、組立時の通り芯を見やすくすることができ、不揃いを防止することができる。
【００１５】
ズレ止めスぺーサー１の寸法は、図５を参照して、長手方向の長さが約１３９．５ｍｍの場合と約１８６．５ｍｍの場合とがある。
【００１６】
２は第２発明の仮設足場における布板のズレ止めスぺーサーである。
その構成は、ポリエチレンなどの合成樹脂を素材として構成されたスぺーサー本体２Ａと、左右の嵌合切欠き２Ｂ、２Ｃと、前後の係合部２Ｄ、２Ｅと、左右の突縁２Ｆ、２Ｇから構成されている。
Ａ．スぺーサー本体２Ａは、水平材３Ａ１の上半分に上方から嵌着できるよう構成された断面半円状の上部湾曲部２Ａ１と、上部湾曲部２Ａ１の前後下辺に下方に向け連設された前後の垂下面２Ａ２、２Ａ３から構成されている。
Ｂ．左の嵌合切欠き２Ｂは、スぺーサー本体２Ａにおける上部湾曲部２Ａ１の左方部分において、当該上部湾曲部２Ａ１を左下方向に斜めに切除して形成した建枠３Ａの足場支柱３Ａ２の内側側面３Ａ２１を嵌着挟持する平面略半円状の切欠きで構成されている。
Ｃ．右の嵌合切欠き２Ｃは、スぺーサー本体２Ａにおける上部湾曲部２Ａ１の右方部分において、当該上部湾曲部２Ａ１を右下方向に斜めに切除して形成した建枠３Ａの足場支柱３Ａ２の全体を嵌着挟持する平面略長穴半円状の切欠きで構成されている。
【００１７】
Ｄ．前の係合部２Ｄは、スぺーサー本体２Ａの前の垂下面２Ａ２の下方部分に、建枠３Ａの水平材３Ａ１の長手方向と直交する状態で所定間隔をもって突設された三角状板２Ｄ１、２Ｄ１．．で構成され、三角状板２Ｄ１、２Ｄ１．．は建枠３Ａの水平材３Ａ１の下前半分３Ａ１２に外方から当接するよう構成されている。
Ｅ．後の係合部２Ｅは、スぺーサー本体１Ａの後の垂下面２Ａ３の下方部分に、建枠３Ａの水平材３Ａ１の長手方向と直交する状態で所定間隔をもって突設された三角状板２Ｅ１、２Ｅ１．．で構成され、三角状板２Ｅ１、２Ｅ１．．は建枠３Ａの水平材３Ａ１の下後半分３Ａ１２に外方から当接するよう構成されている。
Ｆ．左の突縁２Ｆは、左の前方突縁２Ｆ１と左の後方突縁２Ｆ２から構成され、左の前方突縁２Ｆ１は、前の垂下面２Ａ２の左方辺より外方に向け連設された縁状板で構成され、左の後方突縁２Ｆ２は、後の垂下面２Ａ３の左方辺より外方に向け連設された縁状板で構成されている。
Ｇ．右の突縁２Ｇは、右の前方突縁２Ｇ１と右の後方突縁２Ｇ２から構成され、右の前方突縁２Ｇ１は、前の垂下面２Ａ２の右方辺より外方に向け連設された縁状板で構成され、右の後方突縁２Ｇ２は、後の垂下面２Ａ３の右方辺より外方に向け連設された縁状板で構成されている。
Ｈ．三角状板２Ｄ１、２Ｅ１は、多少の弾性力を有する素材で構成され、これにより仮設足場における布板のズレ止めスぺーサーの離脱落下を防止している。Ｉ．ズレ止めスぺーサー２全体を例えば、黄色などの目立つ色彩に着色することで、組立時の通り芯を見やすくすることができ、不揃いを防止することができる。
【００１８】
ズレ止めスぺーサー２の寸法は、図１１を参照して、長手方向の長さが約１６１．５ｍｍの場合と約１１１．５０ｍｍの場合とがある。
【００１９】
以上の説明は、水平材３Ａ１の左方部分にズレ止めスぺーサー１あるいはズレ止めスぺーサー２を装着する場合で説明したが、水平材３Ａ１の右方部分に装着する場合は、当該ズレ止めスぺーサーの左右の向きを反転するとよい。
【００２０】
【発明の効果】
本発明は、上述の通り構成されているので次に記載する効果を奏する。
１．請求項１記載の発明の場合
Ａ．２枚の布板３Ｂを水平材の長手方向の右方に移動させることで露出した水平材３Ａ１の左方部分３Ａ１１に、本発明の仮設足場における布板のズレ止めスぺーサー１を装着することができる。
すなわち、周縁１Ｂを布板３Ｂのフック３Ｂ２側に位置せしめ、嵌合切欠き１Ｃを建枠３Ａの足場支柱３Ａ２の内側側面に嵌合せしめ、水平材の左方部分３Ａ１１に上面からスぺーサー本体１Ａを押下げ、前の係合部１Ｄと後の係合部１Ｅを水平材の左方部分３Ａ１１の下方に位置するように装着する。
この結果、布板間の隙間をなくすることができる。
布板間の隙間をなくすことができるので、作業員の足の踏み落しなどによる転倒、転落、工具の落下などを防止することができる。
Ｂ．係合部１Ｄ、１Ｅが三角状板で構成されているので、安価に製造することができる。
【００２１】
２．請求項２記載の発明の場合
Ａ．２枚の布板３Ｂを水平材の長手方向の右方に移動させることで、露出した水平材３Ａ１の左方部分３Ａ１１に、本発明の仮設足場における布板のズレ止めスぺーサー２を装着することができる。
すなわち、右の突縁２Ｇを布板３Ｂのフック３Ｂ２側に位置せしめ、嵌合切欠き２Ｂを建枠３Ａの足場支柱３Ａ２の内側側面に嵌合せしめ、水平材の左方部分３Ａ１１に上面からスぺーサー本体２Ａを押下げ、前の係合部２Ｄと後の係合部２Ｅを水平材の左方部分３Ａ１１の下方に位置するように装着する。
この結果、布板間の隙間をなくすることができる。
布板間の隙間をなくすことができるので、作業員の足の踏み落しなどによる転倒、転落、工具の落下などを防止することができる。
Ｂ．係合部２Ｄ、２Ｅが三角状板で構成されているので、安価に製造することができる。
Ｃ．仮設足場にはインチサイズのものとセンチサイズのものがあるが、インチサイズの水平材３Ａ１は、センチサイズの水平材３Ａ１より少し長く構成されている。
このため、ズレ止めスぺーサー２を装着し２枚の布板３Ｂを水平材の長手方向の右方に移動させると、露出した水平材３Ａ１の左方部分３Ａ１１の長さは、センチサイズの場合はＬ１と短く、インチサイズの場合はＬ２と長くなる。
この場合、下記のように対応することができる。
ａ．インチサイズの仮設足場の水平材に対応する場合、図１３を参照して、左の嵌合切欠き２Ｂを仮設足場３の建枠３Ａにおける左の足場支柱３Ａ２の内側側面に嵌合する状態で水平材３Ａ１の左方部分３Ａ１１に装着する。
ｂ．センチサイズの仮設足場の水平材に対応する場合、図１４を参照して、右の嵌合切欠き２Ｃを仮設足場３の建枠３Ａにおける左の足場支柱３Ａ２の全体を呑み込む状態で水平材３Ａ１の左方部分３Ａ１１に装着する。
ｃ．この結果、一定寸法のズレ止めスぺーサー２のみで、センチサイズの仮設足場とインチサイズの仮設足場に確実に対応することができる。
３．このほか、安価に製造できる、部品点数が少ないので組立が容易である、経済的である、などの効果をも有するものである。
【図面の簡単な説明】
【図１】第１発明のものの使用状態を示す斜視図である。
【図２】同上における要部拡大正面図である。
【図３】仮設足場における布板のズレ止めスぺーサーの斜視図である。
【図４】同上の底面方向から見た斜視図である。
【図５】平面図である。
【図６】Ａ−Ａ線端面図である。
【図７】第２発明におけるインチサイズの仮設足場に対する使用状態を示す斜視図である。
【図８】同上における要部拡大正面図である。
【図９】仮設足場における布板のズレ止めスぺーサーの斜視図である。
【図１０】同上の底面方向から見た斜視図である。
【図１１】平面図である。
【図１２】Ｂ−Ｂ線端面図である。
【図１３】インチサイズの仮設足場の水平材に対する使用状態を説明する要部拡大平面図である。
【図１４】センチサイズの仮設足場の水平材に対する使用状態を説明する要部拡大平面図である。
【図１５】従来のものの使用状態を示す斜視図である。
【符号の説明】
１　第１発明の仮設足場における布板のズレ止めスぺーサー
１Ａ　スぺーサー本体
１Ｂ　周縁
１Ｃ　嵌合切欠き
１Ｄ　前の係合部
１Ｅ　後の係合部
２　第２発明の仮設足場における布板のズレ止めスぺーサー
２Ａ　スぺーサー本体
２Ｂ　左の嵌合切欠き
２Ｃ　右の嵌合切欠き
２Ｄ　前の係合部
２Ｅ　後の係合部
２Ｆ　左の突縁
２Ｇ　右の突縁
【図１】
2004011290.tif 000003
【図２】
2004011290.tif 000004
【図３】
2004011290.tif 000005
【図４】
2004011290.tif 000006
【図５】
2004011290.tif 000007
【図６】
2004011290.tif 000008
【図７】
2004011290.tif 000009
【図８】
2004011290.tif 000010
【図９】
2004011290.tif 000011
【図１０】
2004011290.tif 000012
【図１１】
2004011290.tif 000013
【図１２】
2004011290.tif 000014
【図１３】
2004011290.tif 000015
【図１４】
2004011290.tif 000016
【図１５】
2004011290.tif 000017